(57)【要約】【課題】外径寸法が異なる多種類の被覆電線を、安価な構成で、防水性を確保した状態で安全かつ確実に保持可能なワイヤハーネスを提供すること。【解決手段】ワイヤハーネス１０は、複数の端子挿入孔２１を有し、各端子挿入孔２１に各接続端子１１の接続部１２を収容するコネクタ２０と、電線挿通孔１６ｅを有し、電線挿通孔１６ｅに被覆電線Ｗを挿通した状態で、端子挿入方向先端部が、絶縁被覆材１７の皮剥ぎ後の端部１７ａに被さる状態で第２のバレル部１５に固定され、各端子挿入孔２１に挿通される止水部材１６と、を備える。止水部材１６は、形状記憶樹脂製の成形体であり、端子挿入方向後端部が、記憶形状である大径に復元することにより、復元前の形状に比べ軸方向に短縮し、かつ、径方向に拡大した状態で端子挿入孔２１に密着している。【選択図】図２
2017134978.tif 000002
【特許請求の範囲】
【請求項１】
絶縁被覆材が皮剥ぎされ導線端部が露出した複数の被覆電線と、
接続部と第１のバレル部と第２のバレル部とを有し、前記第１のバレル部が前記導線端部を固定し、前記第２のバレル部が前記絶縁被覆材の皮剥ぎ後の端部を固定するように設けられた複数の接続端子と、
複数の端子挿入孔を有し、前記各端子挿入孔に前記各接続端子の前記接続部を収容するコネクタと、
電線挿通孔を有し、前記電線挿通孔に前記被覆電線を挿通した状態で、端子挿入方向先端部が、前記絶縁被覆材の皮剥ぎ後の端部に被さる状態で前記第２のバレル部に固定され、前記各端子挿入孔に挿通される止水部材と、を備え、
前記止水部材は、形状記憶樹脂製の成形体であり、端子挿入方向後端部が、記憶形状である大径に復元することにより、復元前の形状に比べ軸方向に短縮し、かつ、径方向に拡大した状態で前記端子挿入孔に密着していることを特徴とするワイヤハーネス。
【請求項２】
前記止水部材は、前記端子挿入方向後端部の外周面に複数の環状凸部を有し、前記記憶形状を復元することにより、前記環状凸部が前記端子挿入孔に密着していることを特徴とする請求項１に記載のワイヤハーネス。
【発明の詳細な説明】
【技術分野】
【０００１】
本発明は、自動車等において電線の接続に用いられる防水性を有するワイヤハーネスに関する。
【背景技術】
【０００２】
自動車等においては、例えばオプション回路間に配索する電線を接続するための種々のワイヤハーネスが搭載されている。ワイヤハーネスは、取り付け場所等によっては、防水性を確保することが重要である。
【０００３】
電線を収容する構造体における防水構造としては、ハウジング１１の電線１２の端部に接続した接続端子１３を収容するための端子収容孔１４の後部に、水等の液体がハウジング１１内に侵入することを防止するためのシール部材２３を装着したものが知られている（例えば特許文献１）。
【０００４】
特許文献１に記載されたものでは、シール部材２３が液体膨張率に優れた合成ゴムにより形成されており（段落００１１）、滴下手段Ｍにより不活性液体Ｌを滴下することにより膨張させることで、ハウジング１１の端子収容孔１４の後部を確実に密封することができるとともに、接続端子１３を端子収容孔１４内に確実に保持することが可能となる（００１５、００１７、図３等）。
【先行技術文献】
【特許文献】
【０００５】
【特許文献１】特開平８−１７１９５７号公報
【発明の概要】
【発明が解決しようとする課題】
【０００６】
しかしながら、特許文献１に記載されたものでは、滴下した不活性液体によってシール部材が膨張する前に、該液体がハウジング内部に侵入して残留することも考えられ、その場合には電気系統の短絡が発生する可能性もあった。
【０００７】
一方、例えば、車両の省エネルギー化のための軽量化の観点から、電線の絶縁被覆材の薄肉化が進み、ワイヤハーネスについても、外径寸法の異なる多種類の電線への対応が求められている。上記要求に対し、特許文献１に記載されたものは、多種類の電線を選択的に受け入れて防水性を確保する点については配慮がなかった。このため、特許文献１に記載されたものは、電線の外径寸法が変わった場合、その外径寸法に適合するシール部材を使い分ける必要があり、コストも増大するという問題点があった。
【０００８】
本発明は、上述のような課題を解決するためになされたもので、外径寸法が異なる多種類の被覆電線を、安価な構成で、防水性を確保した状態で安全かつ確実に保持可能なワイヤハーネスを提供することを目的とする。
【課題を解決するための手段】
【０００９】
本発明に係るワイヤハーネスは、上記目的達成のため、絶縁被覆材が皮剥ぎされ導線端部が露出した複数の被覆電線と、接続部と第１のバレル部と第２のバレル部とを有し、前記第１のバレル部が前記導線端部を固定し、前記第２のバレル部が前記絶縁被覆材の皮剥ぎ後の端部を固定するように設けられた複数の接続端子と、複数の端子挿入孔を有し、前記各端子挿入孔に前記各接続端子の前記接続部を収容するコネクタと、電線挿通孔を有し、前記電線挿通孔に前記被覆電線を挿通した状態で、端子挿入方向先端部が、前記絶縁被覆材の皮剥ぎ後の端部に被さる状態で前記第２のバレル部に固定され、前記各端子挿入孔に挿通される止水部材と、を備え、前記止水部材は、形状記憶樹脂製の成形体であり、端子挿入方向後端部が、記憶形状である大径に復元することにより、復元前の形状に比べ軸方向に短縮し、かつ、径方向に拡大した状態で前記端子挿入孔に密着している構成である。
【００１０】
この構成により、本発明に係るワイヤハーネスは、電線挿通孔に被覆電線を挿通した状態で、端子挿入方向先端部が、絶縁被覆材の皮剥ぎ後の端部に被さる状態で第２のバレル部に固定されるように止水部材を各端子挿入孔に挿通し、止水部材を形状記憶時の温度で加熱して記憶形状を復元させることで、止水部材の端子挿入方向後端部が、記憶形状である大径に復元することにより、復元前の形状に比べ軸方向に短縮し、かつ、径方向に拡大した状態で端子挿入孔に密着することで、防止性を確保できる。
【００１１】
また、止水部材は、上記記憶形状を復元させる際、電線挿通孔の内周が被覆電線の外周に密着した状態となるため、被覆電線の外径寸法が変わった場合も、１つの止水部材を共用して各被覆電線を防水可能に保持でき、コストも安価に抑えることができる。また、止水部材は、記憶形状を復元させるには形状記憶温度で加熱すればよく、液体膨張率に優れた合成ゴム製のシール部材を用いる従来のもののように液体を必要とせず、液体による電気系統の短絡も発生することがない。
【００１２】
また、上記構成のワイヤハーネスは、前記止水部材が、前記端子挿入方向後端部の外周面に複数の環状凸部を有し、前記記憶形状を復元することにより、前記環状凸部が前記端子挿入孔に密着している構成としてもよい。
【００１３】
この構成により、本発明に係るワイヤハーネスは、止水部材が記憶形状を復元させる際、複数の箇所でそれぞれの環状凸部が端子挿入孔に密着することで、防水性を確実なものとすることができる。
【発明の効果】
【００１４】
本発明によれば、外径寸法が異なる多種類の被覆電線を、安価な構成で、防水性を確保した状態で安全かつ確実に保持可能なワイヤハーネスを提供することができる。
【図面の簡単な説明】
【００１５】
【図１】本発明の一実施の形態に係るワイヤハーネスの外観構造を示す斜視図である。
【図２】図１におけるコネクタの内部構造を示す縦断面図である。
【図３】本発明の一実施の形態に係るワイヤハーネスの形状記憶工程を示す図である。
【図４】本発明の一実施の形態に係るワイヤハーネスの組立工程を示す縦断面図である。
【図５】従来のコネクタ用シール部材を実装するハウジングの構成を示す断面図である。
【発明を実施するための形態】
【００１６】
以下、本発明に係るワイヤハーネスの一実施の形態について説明する。まず、本発明の一実施の形態に係るワイヤハーネス１０について図１および図２を参照して説明する。
【００１７】
図１および図２に示すように、本実施の形態に係るワイヤハーネス１０は複数の被覆電線Ｗと接続端子１１とコネクタ２０と止水部材１６とを備えている。
【００１８】
図２に示すように、被覆電線ＷはＰＶＣなどよりなる絶縁被覆材１７が被覆されているが、接続端子１１に接続する前に予め接続する部位の絶縁被覆材１７が皮剥ぎされ、径が小さい銅線の束である導線Ｗ１の端部である導線端部Ｗ１ａが露出している。より具体的には、絶縁被覆材１７の端部は例えば長さ１０〜１５ｍｍの端部が皮剥ぎされ、導線Ｗ１が露出する構成である。導線Ｗ１は、径が大きい１本の銅線等であってもよい。また、導線Ｗ１は、アルミニウム線であってもよい。
【００１９】
接続端子１１は、係止凸部１３を有する接続部１２と第１のバレル部１４と第２のバレル部１５とを有している。接続部１２は、筒状の形状であり雌形に形成されているが、雄形であってもよい。接続部１２は、係止凸部１３がコネクタ２０のロック片２２に当接することで端子挿入孔２１内に脱出不能に収容される。接続端子１１は、各被覆電線Ｗの挿入方向側の端部、すなわち、端子挿入方向先端部に設けられている。接続端子１１は、例えば、銅、無酸素銅（電気すずめっき）、黄銅、あるいはアルミニウム合金などの良導電性金属板を板金加工してなる成形体とすることができる。
【００２０】
第１のバレル部１４と第２のバレル部１５は、被覆電線Ｗの組付け前においては、それぞれ両側一対に開いた平板片部であり、加締め冶具により抱き込む形態に加締められる。第１のバレル部１４は、導線端部Ｗ１ａを固定するようになっている。第２のバレル部１５は、絶縁被覆材１７の皮剥ぎ後の端部１７ａを固定するようになっている。このように接続端子１１は、第１のバレル部１４が加締められ導線Ｗ１を抱き込み状態に固定し、かつ第２のバレル部１５が加締められ絶縁被覆材１７の皮剥ぎ後の端部１７ａを抱き込み状態に固定することで、被覆電線Ｗを固定している。
【００２１】
コネクタ２０は、複数の端子挿入孔２１を有している。端子挿入孔２１内の孔壁にはロック片２２が設けられ、接続端子１１の接続部１２の係止凸部１３に当接することで、各端子挿入孔２１に接続部１２を脱出不能に収容するようになっている。より具体的には、ロック片２２は、接続部１２の通過時に係止凸部１３により押し倒されて後張出状態に復帰し、接続部１２の挿入方向後端に設けられる係止凸部１３に当接して接続部１２を脱出不能に収容するようになっている。
【００２２】
コネクタ２０は、例えば、ガラス繊維（ＧＦ）や無機フィラー等の充填材を配合して異方性を緩和し、精密成形性と耐熱性に優れるＬＣＰ樹脂（液晶ポリマー）製の射出成形体とすることができ、あるいは、ポリエステル樹脂、ポリアミド、ポリプロピレン、ポリエチレン等の樹脂製であってもよい。また、コネクタ２０は、ＧＦおよび無機フィラーを配合した強化ポリエチレンテレフタレート樹脂の射出成形体とすることができる。
【００２３】
コネクタ２０は、端子挿入孔２１に対して、接続端子１１および止水部材１６が接続された被覆電線Ｗを接続端子１１の側からその挿入を受け入れる。
【００２４】
止水部材１６は、被覆電線Ｗの先端側から先端筒状部１６ａ、中間筒状部１６ｂ、後端筒状部１６ｃの順に構成された形状記憶樹脂製の成形体である。止水部材１６は、中間筒状部１６ｂの外周面に複数の環状凸部１６ｄを有するとともに、先端筒状部１６ａ、中間筒状部１６ｂ、後端筒状部１６ｃを貫いて被覆電線Ｗを挿通する電線挿通孔１６ｅが形成されている。
【００２５】
止水部材１６は、被覆電線Ｗの外周の一部に取り付けられている。具体的に、止水部材１６は、電線挿通孔１６ｅに被覆電線Ｗを挿通した状態で、先端筒状部１６ａの端部、すなわち、被覆電線Ｗを挿通する方向である端子挿入方向の先端部（以下、端子挿入方向先端部という）が、絶縁被覆材１７の皮剥ぎ後の端部１７ａに被さる状態で第２のバレル部１５に固定されたうえでそれぞれ対応する各端子挿入孔２１に挿通されている。
【００２６】
形状記憶樹脂製の止水部材１６は、図２に示すワイヤハーネス１０において、中間筒状部１６ｂおよび後端筒状部１６ｃを含む部分、すなわち、端子挿入方向の後端部（以下、端子挿入方向後端部という）が記憶形状（図３（ｂ）参照）を復元した状態にある。
【００２７】
具体的に、止水部材１６は、記憶形状である大径に復元することにより、復元前の形状に比べ軸方向に短縮し、かつ、径方向に拡大した状態でコネクタ２０の端子挿入孔２１に密着している。また、このとき、止水部材１６は、電線挿通孔１６ｅが上記記憶形状である径となるように内側に向けて膨らみ、電線挿通孔１６ｅに挿通されている被覆電線Ｗに密着している。
【００２８】
このように、図２に示すワイヤハーネス１０は、止水部材１６が上述した記憶形状を復元することによって、止水部材１６の端子挿入方向後端部がコネクタ２０の端子挿入孔２１に密着するとともに、止水部材１６の電線挿通孔１６ｅが被覆電線Ｗの外周面に密着し、防水性が確保されている。このワイヤハーネス１０を形成する場合、構成要素の一つである止水部材１６は、復元させるべき上述した形状を予め記憶させておく必要がある。
【００２９】
次に、止水部材１６の形状記憶工程について図３を参照して説明する。図３では形状記憶工程における止水部材１６の構成を側面図で示している。また、止水部材１６として用いる形状記憶材料は、ガラス転移点が例えば８５度（℃）であり、９５℃〜１００℃のときの形状を記憶するものとして説明する。
【００３０】
止水部材１６の形状記憶工程においては、まず、形成時の構造（図３（ａ）参照）を有するものを用意する。この形成時の止水部材１６は、図３（ａ）に示すように、電線挿通孔１６ｅは例えば直径Ｒ０である。これにより、止水部材１６は、直径Ｒ０より小さい外径寸法を有する被覆電線Ｗを挿通可能である。
【００３１】
また、この形成時の止水部材１６は、図３（ａ）に示すように、形状記憶領域である中間筒状部１６ｂおよび後端筒状部１６ｃを含む端子挿入方向後端部の長さがＬ１であり、中間筒状部１６ｂの環状凸部１６ｄおよび後端筒状部１６ｃはそれぞれ直径Ｒ２の大きさを有する。ここで、Ｒ２は、中間筒状部１６ｂおよび後端筒状部１６ｃが端子挿入孔２１内に挿入可能となるよう端子挿入孔２１より小径である大きさとなっている。具体的に、止水部材１６の外形寸法は、コネクタ２０の端子挿入孔２１の内径サイズよりも０．１ミクロン〜１．２ミクロン程度小さい径とすることができる。
【００３２】
次に、この止水部材１６を、図３（ｂ）に示すように、常温の状態（例えば、２５℃）から形状を記憶するための温度である例えば９５℃〜１００℃に達するまで加熱する。
【００３３】
９５℃〜１００℃に加熱された止水部材１６は、形状記憶領域である中間筒状部１６ｂおよび後端筒状部１６ｃに対して図３（ｂ）に示す形状を記憶させることが可能な状態となる。
【００３４】
本実施の形態において、止水部材１６は、上記形状記憶温度下で、図３（ｂ）に示すように、中間筒状部１６ｂおよび後端筒状部１６ｃ間の長さがＬ２（Ｌ２＜Ｌ１）であって、かつ、中間筒状部１６ｂの環状凸部１６ｄおよび後端筒状部１６ｃの直径がＲ３（Ｒ３＞Ｒ２）である形状が記憶される。このとき、止水部材１６は、電線挿通孔１６ｅについては、形成時よりも小さな直径Ｒ１（Ｒ１＜Ｒ０）を有する形状を記憶させてもよい。
【００３５】
図３（ｂ）に示す形状記憶作業では、例えば、止水部材１６の電線挿通孔１６ｅ内に直径Ｒ１の棒状体を貫通する一方で、先端筒状部１６ａを型枠内に収容した状態で、中間筒状部１６ｂおよび後端筒状部１６ｃ間の長さが上記Ｌ２に縮むまで、後端筒状部１６ｃの側から中間筒状部１６ｂを押圧する。この作業により、止水部材１６は、図３（ｂ）に示すように、中間筒状部１６ｂおよび後端筒状部１６ｃ間の長さが形成時（図３（ａ）参照）よりも短く、かつ、中間筒状部１６ｂの環状凸部１６ｄおよび後端筒状部１６ｃの径が形成時よりも大きい形状が記憶される。
【００３６】
図３（ｂ）に示す形状記憶作業の完了後、止水部材１６を、中間筒状部１６ｂおよび後端筒状部１６ｃが８５℃の温度で加熱される状態に戻す（図３（ａ）参照）。この環境の中で、止水部材１６を、再び図３（ａ）に示す形成時の形状と同等の形状に戻す作業を行う。具体的には、止水部材１６の中間筒状部１６ｂおよび後端筒状部１６ｃを、長さＬ１で、かつ、止水部材１６全体の電線挿通孔１６ｅの内径が直径Ｒ０となるように引き延ばす作業を行う。
【００３７】
図３に示す一連の形状記憶作業によって、止水部材１６は、図３（ｂ）に示す形状を記憶した状態で、図３（ａ）に示す形成時の形状とされた状態となる。この形成時の形状とする作業が終了した後、加熱を停止し、止水部材１６が常温となるまで待機する。常温となった止水部材１６は、図１および２に示すワイヤハーネス１０の構成要素として使用可能となる。
【００３８】
次に、止水部材１６を用いてワイヤハーネス１０を形成する方法について図４および図１を参照して説明する。図４は、本実施の形態に係るワイヤハーネス１０の被覆電線Ｗ挿通時の構成を示す断面図である。
【００３９】
図１および図２に示すワイヤハーネス１０を形成するためには、まず、形状記憶（図３（ｂ）参照）後に形成時と同等の形状に形成した図３（ａ）に示す止水部材１６を用意する。次いで、この止水部材１６の電線挿通孔１６ｅに被覆電線Ｗを挿通し、図４に示すように、端子挿入方向先端部が、絶縁被覆材１７の皮剥ぎ後の端部１７ａに被さる状態で第２のバレル部１５に固定された状態で、当該接続端子１１、止水部材１６および被覆電線Ｗを端子挿入孔２１に挿通する。このとき、被覆電線Ｗを、接続端子１１の接続部１２の係止凸部１３がロック片２２に係止されるまで差し込む。
【００４０】
これにより、接続端子１１の接続部１２は、逆側から挿通される雌形コネクタ部３０（但し、接続部１２が雄形の場合）に嵌合し、被覆電線Ｗと雌形コネクタ部３０の後方にある電気回路とは電気的に接続された状態となる。
【００４１】
図４に示す態様で接続端子１１、止水部材１６および被覆電線Ｗを端子挿入孔２１に挿通したとき、コネクタ２０内部では、被覆電線Ｗに接続されている止水部材１６が、コネクタ２０の端子挿入孔２１に密着せず、遊嵌された状態にある。この状態において、止水部材１６を、図３（ｂ）に示した形状記憶時の温度である９５℃〜１００℃に例えばドライヤー等の加熱装置で加熱する。
【００４２】
形状記憶時の温度での加熱により、止水部材１６は、形状記憶領域である中間筒状部１６ｂおよび後端筒状部１６ｃが記憶形状を復元する。具体的に、止水部材１６は、図２に示すように、端子挿入方向後端部である中間筒状部１６ｂおよび後端筒状部１６ｃが、記憶形状である大径に復元することにより、復元前の形状（図３（ａ）参照）に比べ軸方向に短縮し、かつ、径方向に拡大した状態で端子挿入孔２１に密着する。また、このとき、止水部材１６は、上記記憶形状の復元により、電線挿通孔１６ｅが被覆電線Ｗの外周面に密着する。
【００４３】
これにより、図２に示すように、コネクタ２０の内部で、止水部材１６の中間筒状部１６ｂと後端筒状部１６ｃが端子挿入孔２１に密着し、かつ、電線挿通孔１６ｅが被覆電線Ｗの外周に密着されたワイヤハーネス１０が完成する。
【００４４】
図１および図２に示すワイヤハーネス１０の構成によれば、被覆電線Ｗに接続端子１１および止水部材１６を接続し、被覆電線Ｗをコネクタ２０の端子挿入孔２１に挿入した後、形状記憶温度で加熱することで、止水部材１６と端子挿入孔２１との間、および止水部材１６と被覆電線Ｗとの間を密着状態とすることができる。これにより、ワイヤハーネス１０は、止水部材１６が水の侵入を防ぎ、外部より水が浸入しづらくなり、例えば、車体の高圧洗浄時においても防水性を確保できる。
【００４５】
また、このワイヤハーネス１０は、止水部材１６が形状記憶時の温度で加熱することで記憶形状に復元できるため、特許文献１に記載されたもののように液体を滴下する工程は不要であり、液体がコネクタ２０内部に滞留し、短絡が発生することを未然に防止できる。
【００４６】
また、このワイヤハーネス１０は、止水部材１６が形状記憶樹脂製であるため、例えば、自動車等の車両に搭載される被覆電線Ｗの薄肉化が進んで被覆電線Ｗの外径寸法が変わった場合でも、端子挿入孔２１の内径の範囲内の外径寸法を有する多種類の被覆電線Ｗの挿通を適応的にカバーし、防止性を維持できる。
【００４７】
このように、本実施の形態に係るワイヤハーネス１０は、絶縁被覆材１７が皮剥ぎされ導線端部Ｗ１ａが露出した複数の被覆電線Ｗと、接続部１２と第１のバレル部１４と第２のバレル部１５とを有し、第１のバレル部１４が導線端部Ｗ１ａを固定し、第２のバレル部１５が絶縁被覆材１７の皮剥ぎ後の端部１７ａを固定するように設けられた複数の接続端子１１と、複数の端子挿入孔２１を有し、各端子挿入孔２１に各接続端子１１の接続部１２を収容するコネクタ２０と、電線挿通孔１６ｅを有し、電線挿通孔１６ｅに被覆電線Ｗを挿通した状態で、端子挿入方向先端部（先端筒状部１６ａ）が、絶縁被覆材１７の皮剥ぎ後の端部１７ａに被さる状態で第２のバレル部１５に固定され、各端子挿入孔２１に挿通される止水部材１６と、を備え、止水部材１６は、形状記憶樹脂製の成形体であり、端子挿入方向後端部（中間筒状部１６ｂおよび後端筒状部１６ｃ）が、記憶形状である大径に復元することにより、復元前の形状に比べ軸方向に短縮し、かつ、径方向に拡大した状態で端子挿入孔２１に密着している構成である。
【００４８】
この構成により、本実施の形態に係るワイヤハーネス１０は、電線挿通孔１６ｅに被覆電線Ｗを挿通した状態で、端子挿入方向先端部が、絶縁被覆材１７の皮剥ぎ後の端部１７ａに被さる状態で第２のバレル部１５に固定されるように止水部材１６を各端子挿入孔２１に挿通し、止水部材１６を形状記憶時の温度で加熱して記憶形状を復元させることで、止水部材１６の端子挿入方向後端部が、記憶形状である大径に復元することにより、復元前の形状に比べ軸方向に短縮し、かつ、径方向に拡大した状態で端子挿入孔２１に密着することで、防止性を確保できる。
【００４９】
また、本実施の形態に係るワイヤハーネス１０において、止水部材１６は、記憶形状を復元することにより、電線挿通孔１６ｅの内周が被覆電線Ｗの外周に密着した状態となるため、被覆電線Ｗの外径寸法が変わった場合も、１つの止水部材１６を共用して各被覆電線Ｗを防水可能に保持でき、コストも安価に抑えることができる。また、止水部材１６は、記憶形状を復元させるには形状記憶温度で加熱すればよく、液体膨張率に優れた合成ゴム製のシール部材を用いる従来のもののように液体を必要とせず、液体による電気系統の短絡も発生することがない。
【００５０】
また、上記構成のワイヤハーネス１０は、止水部材１６が、端子挿入方向後端部の外周面に複数の環状凸部１６ｄを有し、記憶形状を復元することにより、環状凸部１６ｄが端子挿入孔２１に密着している構成としてもよい。
【００５１】
この構成により、本実施の形態に係るワイヤハーネス１０は、止水部材１６が記憶形状を復元させる際、複数の箇所でそれぞれの環状凸部１６ｄが端子挿入孔２１に密着することで、防水性を確実なものとすることができる。
【００５２】
なお、本発明に係るワイヤハーネスの技術的範囲は、上述した実施の形態に限定されるものではなく、特許請求の範囲に記載した各構成要素の種々の変更を含むものである。例えば、上記実施の形態では、止水部材１６として環状凸部１６ｄを有するものを用いているが、これに限らず、止水部材１６として螺旋状の凸部を有するものを用いてもよい。
【００５３】
以上説明したように、本発明に係るワイヤハーネスは、外径寸法が異なる多種類の被覆電線を、安価な構成で、防水性を確保した状態で安全かつ確実に保持可能であるという効果を有し、防水性が要求されるワイヤハーネス全般に有用である。
【符号の説明】
【００５４】
１０  ワイヤハーネス
１１  接続端子
１２  接続部
１３  係止凸部
１４  第１のバレル部
１５  第２のバレル部
１６  止水部材
１６ａ  先端筒状部（端子挿入方向先端部）
１６ｂ  中間筒状部（端子挿入方向後端部）
１６ｃ  後端筒状部（端子挿入方向後端部）
１６ｄ  環状凸部
１６ｅ  電線挿通孔
１７  絶縁被覆材
１７ａ  皮剥ぎ後の端部
２０  コネクタ
２１  端子挿入孔
２２  ロック片
Ｗ  被覆電線
Ｗ１  導線
Ｗ１ａ  導線端部
【図１】
2017134978.tif 000003
【図２】
2017134978.tif 000004
【図３】
2017134978.tif 000005
【図４】
2017134978.tif 000006
【図５】
2017134978.tif 000007